(57)【要約】【課題】  上下左右の向きに関係なくリアキャビネットを取付けられ、組立の際にリアキャビネットを取付ける向きを意識する必要がなくなり、作業性を向上させることができる。【解決手段】  テレビジョンＴのフロントキャビネット１とリアキャビネット２が正方形に形成され、リアキャビネットのジャック穴２ａは、上下左右に等しい間隔で４箇所形成され、基板３にはジャック類４と３箇所の使用されないジャック穴を塞ぐためのリブ５が設けられ、テレビジョンを据置するスタンド６の上端に設けられてリアキャビネットに取り付けられるホルダー７が正方形に形成され、リアキャビネットのスタンド用ビス穴２ｃとこのスタンド用ビス穴に対応するホルダーのビス穴７ａが正方形の各角部に形成され、リアキャビネットをフロントキャビネットに上下左右の向きに関係なく取り付け可能とし、リアキャビネットにホルダーを上下左右の向きに関係なくビス止め固定可能とする。【選択図】  図１
2008177927.tif 000002
【特許請求の範囲】
【請求項１】
テレビジョンのフロントキャビネットの裏側に配置された基板の角部近傍箇所にジャック類が配置され、前記フロントキャビネットに取付けられるリアキャビネットの前記ジャック類に対応した箇所にジャック穴が設けられたテレビジョンのリアキャビネットの取付構造において、前記フロントキャビネットとＴＶ画面とリアキャビネットが正方形に形成され、前記リアキャビネットのジャック穴は、上下左右に等しい間隔で４箇所形成され、前記基板には前記４箇所のジャック穴の内の３箇所の使用されないジャック穴を塞ぐためのリブが設けられ、前記テレビジョンを据置するためのスタンドの上端に設けられて前記リアキャビネットに取り付けられるホルダーが正方形に形成されており、前記リアキャビネットのスタンド用ビス穴とこのスタンド用ビス穴に対応する前記ホルダーのビス穴が正方形の各角部に形成され、前記リアキャビネットを前記フロントキャビネットに上下左右の向きに関係なく取り付け可能とされると共に前記リアキャビネットに前記ホルダーを上下左右の向きに関係なくビス止め固定可能とされていることを特徴とするテレビジョンのリアキャビネットの取付構造。
【請求項２】
テレビジョンのフロントキャビネットの裏側に配置された基板の角部近傍箇所にジャック類が配置され、前記フロントキャビネットに取付けられるリアキャビネットの前記ジャック類に対応した箇所にジャック穴が設けられたテレビジョンのリアキャビネットの取付構造において、前記フロントキャビネットとＴＶ画面とリアキャビネットが正方形に形成され、前記リアキャビネットのジャック穴は、上下左右に等しい間隔で４箇所形成され、前記リアキャビネットを前記フロントキャビネットに上下左右の向きに関係なく取り付け可能とされていることを特徴とするテレビジョンのリアキャビネットの取付構造。
【請求項３】
前記テレビジョンを据置するためのスタンドの上端に設けられて前記リアキャビネットに取付けられるホルダーが正方形に形成され、前記リアキャビネットに前記ホルダーを上下左右の向きに関係なくビス止め固定可能とされている請求項２に記載のテレビジョンのリアキャビネットの取付構造。
【発明の詳細な説明】
【技術分野】
【０００１】
本発明は、テレビジョンのフロントキャビネットの裏側に配置された基板の角部近傍箇所にジャック類が配置され、前記フロントキャビネットに取付けられるリアキャビネットの前記ジャック類に対応した箇所にジャック穴が設けられたテレビジョンのリアキャビネットの取付構造に関するものである。
【背景技術】
【０００２】
従来のテレビジョンのリアキャビネットの取付構造は、リアキャビネットの決められた位置にジャック穴が設けられ、フロントキャビネットには前記のジャック穴に対応する位置にジャック類が配置されているために、フロントキャビネットに対してリアキャビネットの取り付けの向きが決められていたから、リアキャビネットをフロントキャビネットに対して上下左右の向きに関係なく取付けられるものではなかった。このため、フロントキャビネットに対してリアキャビネットを決められた向きに取付けなければならないから、リアキャビネットの取り付け作業が行い難く作業性が悪いという問題があった。
【０００３】
第１の従来技術を図３に示す。この従来の表示用照明器具は、図３に示すように、前面開口した直方体状の器具本体１１０の左右幅に略等しい左右幅を有し器具本体１１０の上下幅よりも小さな上下幅を有する正方形状の表示ユニット１２０と表示ユニット１２０の表示パネル１２１の上縁に沿って配設されたランプホルダユニット１３０とで器具本体１１０の前面開口を覆う。表示ユニット１２０は、表示パネル１２１の後面側に導光板を備える。ランプホルダユニット１３０は、導光板の上端縁に対向する位置に冷陰極蛍光灯を保持する。ランプホルダユニット１３０は、器具本体１１０に表示ユニット１２０が取り付けられた状態で器具本体１１０へ着脱自在に取り付けられる。冷陰極蛍光灯の両端のリード線に接続された各接続端子は、器具本体１１０内に配置されたコネクタ１５０、１５０に挿入接続される。（例えば、特許文献１参照）。
【０００４】
ところが、これにおいては、表示ユニット１２０は正方形状に形成されているが、この表示ユニット１２０に表示されたものが上下左右方向決まったものであるために、この表示ユニット１２０を器具本体１１０に対して上下左右の向きに関係なく取り付け可能であるものではなかった。また、ジャック穴については、何ら記載されていないものであった。
【０００５】
第２の従来技術を図４（ａ）（ｂ）に示す。このディスプレイ装置は、図４（ａ）（ｂ）に示すように、前面に開口部２１７を有するフロントカバー２０２と、箱状のリアカバー２０３とからなる筐体内にディスプレイパネル２０４を配置するにあたり、ディスプレイパネル２０４を構成する金属板２０７の周縁部にネジ止め用の突出片２１２を複数設け、この突出片２１２を別途形成された枠体２１４と一緒にフロントカバー２０２の内側に設けられたボス２１３に固定し、枠体２１４に設けられたボス２１６にリアカバー２０３をネジ止めすることにより、組立が容易に行える。（例えば、特許文献２参照）。
【０００６】
ところが、これにおいては、リアカバー２０３をフロントカバー２０２に上下左右どの向きに関係なく取付けられるものではなかった。また、リアカバー２０３に形成されるジャック穴については、何ら記載されていないものであった。
【０００７】
第３の従来技術を図５（ａ）（ｂ）に示す。この従来のディスプレイ装置は、図５（ａ）（ｂ）に示すように、前面に開口部を有するフロントカバー３０２の内面にＬ字状の係止片３０５を設け、この係止片３０５の内側にゴム等の弾性体３０６を貼り付け、この弾性体３０６にディスプレイパネル３０４の補強版３１０およびリアカバー３０３を取付けるようにした支持板３１４の一側を引っ掛けて係止させることにより、ディスプレイパネル３０４とリアカバー３０３をフロントカバー３０２に適度な状態に取付けることができる。（例えば、特許文献３参照）。
【０００８】
ところが、これにおいては、リアカバー３０３をフロントカバー３０２に対して上下左右どの向きに関係なく取付けられるものではなかった。また、リアカバー３０３に形成されるジャック穴については何ら記載されていないものであった。
【特許文献１】特開２００２−２３６５７号公報
【特許文献２】特開平８−３１４３９１号公報
【特許文献３】特開平８−３１４３９２号公報
【発明の開示】
【発明が解決しようとする課題】
【０００９】
本発明は、上記従来の問題に鑑みてなされたものであって、テレビジョンのリアキャビネットを取付ける際に、上下左右の向きに関係なく取付けることができ、組立の際にリアキャビネットを取付ける向きを意識する必要がなくなり、作業性を向上させることができるテレビジョンのリアキャビネットの取付構造を提供することを目的としている。
【課題を解決するための手段】
【００１０】
本発明は、上記課題を解決するために提案されたものであって、請求項１に記載の発明は、テレビジョンのフロントキャビネットの裏側に配置された基板の角部近傍箇所にジャック類が配置され、前記フロントキャビネットに取付けられるリアキャビネットの前記ジャック類に対応した箇所にジャック穴が設けられたテレビジョンのリアキャビネットの取付構造において、前記フロントキャビネットとＴＶ画面とリアキャビネットが正方形に形成され、前記リアキャビネットのジャック穴は、上下左右に等しい間隔で４箇所形成され、前記基板には前記４箇所のジャック穴の内の３箇所の使用されないジャック穴を塞ぐためのリブが設けられ、前記テレビジョンを据置するためのスタンドの上端に設けられて前記リアキャビネットに取り付けられるホルダーが正方形に形成されており、前記リアキャビネットのスタンド用ビス穴とこのスタンド用ビス穴に対応する前記ホルダーのビス穴が正方形の各角部に形成され、前記リアキャビネットを前記フロントキャビネットに上下左右の向きに関係なく取り付け可能とされると共に前記リアキャビネットに前記ホルダーを上下左右の向きに関係なくビス止め固定可能とされていることを特徴としている。
【００１１】
請求項２に記載の発明は、テレビジョンのフロントキャビネットの裏側に配置された基板の角部近傍箇所にジャック類が配置され、前記フロントキャビネットに取付けられるリアキャビネットの前記ジャック類に対応した箇所にジャック穴が設けられたテレビジョンのリアキャビネットの取付構造において、前記フロントキャビネットとＴＶ画面とリアキャビネットが正方形に形成され、前記リアキャビネットのジャック穴は、上下左右に等しい間隔で４箇所形成され、前記リアキャビネットを前記フロントキャビネットに上下左右の向きに関係なく取り付け可能とされていることを特徴としている。
【００１２】
請求項３に記載の発明は、前記テレビジョンを据置するためのスタンドの上端に設けられて前記リアキャビネットに取付けられるホルダーが正方形に形成され、前記リアキャビネットに前記ホルダーを上下左右の向きに関係なくビス止め固定可能とされている。
【発明の効果】
【００１３】
請求項１に記載の発明によれば、フロントキャビネットとＴＶ画面とリアキャビネットが正方形に形成され、リアキャビネットのジャック穴が上下左右に等しい間隔で４箇所形成されているから、フロントキャビネットにリアキャビネットを取付ける際に、上下左右の向きに関係なく取付けることができ、組立の際にリアキャビネットを取付ける向きを意識する必要がなく、作業性を向上させることができる。更に、フロントキャビネットの裏側に配置された基板にはリアキャビネットの４箇所のジャック穴の内の３箇所の使用されないジャック穴を塞ぐためのリブが設けられているから、使用可能なジャック穴を明らかにすることができ、使用可能なジャック類の位置がすぐに解る利点がある。また、テレビジョンを据置するためのスタンドの上端に設けられたホルダーが正方形に形成され、リアキャビネットのスタンド用ビス穴とホルダーのビス穴が正方形の対応する各角部に形成されているから、リアキャビネットの取り付けの向きに合わせてホルダーを上下左右向きに関係なくリアキャビネットにビス止め固定することができ、作業性を更に向上させることができる。
【００１４】
請求項２に記載の発明によれば、フロントキャビネットとＴＶ画面とリアキャビネットが正方形に形成され、リアキャビネットのジャック穴が上下左右に等しい間隔で４箇所形成されているから、フロントキャビネットにリアキャビネットを取付ける際に、上下左右の向きに関係なく取付けることができ、組立の際にリアキャビネットを取付ける向きを意識する必要がなく、作業性を向上させることができる。
【００１５】
請求項３に記載の発明によれば、テレビジョンを据置するためのスタンドの上端に設けられたホルダーが正方形に形成され、リアキャビネットのスタンド用ビス穴とホルダーのビス穴が正方形の対応する各角部に形成されているから、リアキャビネットの取り付けの向きに合わせてホルダーを上下左右向きに関係なくリアキャビネットにビス止め固定することができ、作業性を更に向上させることができる。
【発明を実施するための最良の形態】
【００１６】
以下、本発明に係るテレビジョンのリアキャビネットの取付構造の実施の形態について、図を参照しつつ説明する。
【００１７】
図１は本発明のテレビジョンのリアキャビネットの取付構造を示し、（ａ）はそのリアキャビネットとこのリアキャビネットに取付けられたスタンドの上端のホルダーの取り付け状態を示す裏面図、（ｂ）はその基板が裏側に配置されたフロントキャビネットの裏面図、（ｃ）はその基板に取付けられるリブの斜視図、図２はテレビジョンの正面図である。
【００１８】
本実施形態のテレビジョンのリアキャビネットの取付構造は、図１（ａ）（ｂ）に示すように、テレビジョンＴのフロントキャビネット１とリアキャビネット２が正方形に形成されている。リアキャビネット２には、ジャック穴２ａが上下左右等しい間隔で４箇所形成され、フロントキャビネット１の裏側に基板３が配置され、この基板３には角部近傍箇所にジャック類４が配置されている。更に、基板３にはリアキャビネット２の４箇所のジャック穴２ａの内の３箇所の使用されないジャック穴２ａを塞ぐために、図１（ｃ）に示すリブ５が３方に設けられている。
【００１９】
また、リアキャビネット２には、図１（ａ）に示すように、正方形の各角部にビス穴２ｂが形成され、図１（ｂ）に示すように、フロントキャビネット１の正方形の各角部にリアキャビネット２をビス止めするためのビス穴１ａが形成されている。更に、テレビジョンＴを据置するためのスタンド６の上端に設けられてリアキャビネット２に取付けられるホルダー７が正方形に形成されている。更に、リアキャビネット２にはスタンド用ビス穴２ｃとこのスタンド用ビス穴２ｃに対応するホルダー７のビス穴７ａが正方形の各角部に形成されている。また、図２に示すように、フロントキャビネット１の正面には、正方形のＴＶ画面８が設けられている。
【００２０】
従って、本実施形態によれば、フロントキャビネット１とＴＶ画面８とリアキャビネット２が正方形に形成され、リアキャビネット２のジャック穴２ａが上下左右に等しい間隔で４箇所形成されているから、フロントキャビネット１にリアキャビネット２をビス止めして取付ける際に、上下左右の向きに関係なく取付けることができ、組立の際にリアキャビネット２を取付ける向きを意識する必要がなく、作業性を向上させることができる。更に、フロントキャビネット１の裏側に配置された基板３にはリアキャビネット２の４箇所のジャック穴２ａの内の３箇所の使用されないジャック穴２ａを塞ぐためのリブ５が設けられているから、使用可能なジャック穴２ａを明らかにすることができ、使用可能なジャック類４の位置がすぐに解る利点がある。また、テレビジョンＴを据置するためのスタンド６の上端に設けられたホルダー７が正方形に形成され、リアキャビネット２のスタンド用ビス穴２ｃとホルダー７のビス穴７ａが正方形の対応する各角部に形成されているから、リアキャビネット２の取り付けの向きに合わせてホルダー７を上下左右向きに関係なくリアキャビネット２にビス止め固定することができ、作業性を更に向上させることができる。
【図面の簡単な説明】
【００２１】
【図１】本発明のテレビジョンのリアキャビネットの取付構造を示し、（ａ）はそのリアキャビネットとこのリアキャビネットに取付けられたスタンドの上端のホルダーの取り付け状態を示す裏面図、（ｂ）はその基板が裏側に配置されたフロントキャビネットの裏面図、（ｃ）はその基板に取付けられるリブの斜視図である。
【図２】テレビジョンの正面図である。
【図３】従来の表示用照明器具の分解斜視図である。
【図４】従来のディスプレイ装置を示し、（ａ）はその斜視図、（ｂ）はその構成部品の分解斜視図である。
【図５】従来の他のディスプレイ装置を示し、（ａ）はその斜視図、（ｂ）は内部構造を示す縦断面図である。
【符号の説明】
【００２２】
Ｔ          テレビジョン
１          フロントキャビネット
１ａ        ビス穴
２          リアキャビネット
２ａ        ジャック穴
２ｂ        ビス穴
２ｃ        スタンド用ビス穴
３          基板
４          ジャック類
５          リブ
６          スタンド
７          ホルダー
７ａ        ビス穴
８          ＴＶ画面
【図１】
2008177927.tif 000003
【図２】
2008177927.tif 000004
【図３】
2008177927.tif 000005
【図４】
2008177927.tif 000006
【図５】
2008177927.tif 000007